(57)【特許請求の範囲】
【請求項１】
内輪と、外輪と、内外輪間に介装された複数の玉と、この複数の玉をポケットに転動可能に保持してポケット位置にて軸方向に二分割された筒状の保持器とを備えた玉軸受であって、上記保持器を形成する各分割保持部材のポケット内面で玉の自転軸近くに保持器円周方向および軸方向で対称となる４つの位置に突部を設け、軸受回転時の玉の移動方向である円周方向片側の２つの突部にて玉を２点接触支持させることによりポケットの軸方向中央部と玉とを非接触としたことを特徴とする玉軸受。
【請求項２】
上記ポケットの軸方向中央部に玉との間隔を大きくする逃げ部を形成し、この逃げ部を潤滑剤溜りとしたことを特徴とする請求項１に記載の玉軸受。
【請求項３】
上記保持器が合成樹脂にて形成されていることを特徴とする請求項１または２に記載の玉軸受。
【請求項４】
上記保持器を形成する各分割保持部材が、ポケット間に形成された軸方向貫通穴に挿通されたリベットの固定にて一体とされていることを特徴とする請求項１から３のいずれかに記載の玉軸受。
【請求項５】
上記保持器を形成する各分割保持部材が、一方の分割保持部材のポケット間に形成された軸方向貫通穴に、他方の分割保持部材のポケット間に形成された突起を圧入することにより一体とされていることを特徴とする請求項１から３のいずれかに記載の玉軸受。
【請求項６】
上記保持器を形成する各分割保持部材が、一方の分割保持部材のポケット間内面に円周方向に直線的に形成された鋸歯部と、他方の分割保持部材のポケット間外面に円周方向に直線的に形成された鋸歯部との噛み合わせにて一体とされていることを特徴とする請求項１から３のいずれかに記載の玉軸受。
【請求項７】
上記保持器を形成する各分割保持部材が、合わせ面の溶融にて一体とされていることを特徴とする請求項１から３のいずれかに記載の玉軸受。
【発明の詳細な説明】
【０００１】
【発明の属する技術分野】
この発明は、玉軸受に関する。
【０００２】
【従来の技術】
従来、玉軸受においては、保持器に図８に示すような合成樹脂製冠形保持器や、さらには、図９（特公昭５４−３７２５０号公報）にて示すような、玉９０をポケット９１に転動可能に保持しかつポケット位置にて軸方向に二分割９２，９３された筒状の保持器が知られている。
【０００３】
【発明が解決しようとする課題】
図８に示した合成樹脂製冠形保持器においては、片持ち状であるため軸受回転時に玉８０の進み遅れが発生すると、荷重Ｐが発生し、保持器底面から玉８０の軌道中心までの距離ｌの関係からモーメント荷重Ｐ・ｌにより片持ち部である底部８２が破損することがある。また、ポケット８１の内面は玉８０とほぼ同一の曲率球面にて形成されているため、軸受回転時、玉８０はその自転軸Ｘ−Ｘ線から円周方向に最大距離Ｌだけ離れたポケット位置８３にてすべり接触、すなわち玉８０の自転時の最大周速位置８３にて接触することになり、玉８０の油膜切れや発熱、さらにポケット内面の摩耗が問題となることがある。さらには、図９の筒状保持器においてもポケット９１の内面は玉９０とほぼ同一の曲率球面で形成されているため、軸受回転時、玉９０は玉が自転したときの最大周速位置のポケット位置９４にて接触することになり、図８に示した上記冠形保持器の問題と同様、玉の油膜切れや発熱、ポケット内面の摩耗が問題となることがある。
本発明は上記従来構造の問題点を解決し、軸受の回転時、玉が保持器のポケットと玉の最大周速位置で接触しないようにすることにより、玉の油膜切れや発熱、ポケット内面の摩耗を防止することを目的とする。
【０００４】
【課題を解決するための手段】
上記課題を解決するための手段ｋとして、内輪と、外輪と、内外輪間に介装された複数の玉と、この複数の玉をポケットに転動可能に保持してポケット位置にて軸方向に二分割された筒状の保持器とを備えた玉軸受であって、上記保持器を形成する各分割保持部材のポケット内面で玉の自転軸近くに保持器円周方向および軸方向で対称となる４つの位置に突部を設け、軸受回転時の玉の移動方向である円周方向片側の２つの突部にて玉を２点接触支持させることによりポケットの軸方向中央部と玉とを非接触としたことを特徴とする。
【０００５】
また、上記ポケットの軸方向中央部に玉との間隔を大きくする逃げ部を形成し、この逃げ部を潤滑剤溜りとしたことを特徴とする。
【０００６】
さらにまた、上記保持器が合成樹脂にて形成されていることを特徴とする。
【０００７】
さらにまた、上記保持器を形成する各分割保持部材が、ポケット間に形成された軸方向貫通穴に挿通されたリベットの固定にて一体とされていることを特徴とする。
【０００８】
さらにまた、上記保持器を形成する各分割保持部材が、一方の分割保持部材のポケット間に形成された軸方向貫通穴に、他方の分割保持部材のポケット間に形成された突起を圧入することにより一体とされていることを特徴とする。
【０００９】
さらにまた、上記保持器を形成する各分割保持部材が、一方の分割保持部材のポケット間内面に円周方向に直線的に形成された鋸歯部と、他方の分割保持部材のポケット間外面に円周方向に直線的に形成された鋸歯部との噛み合わせにて一体とされていることを特徴とする。
【００１０】
さらにまた、上記保持器を形成する各分割保持部材が、合わせ面の溶融にて一体とされていることを特徴とする。
【００１１】
【発明の実施の形態】
以下、この発明の具体的形態について図面を参照して説明する。
図１の玉軸受は、内輪１と、外輪２と、内外輪１，２間に転動可能に介装された複数の玉３と、この複数の玉３をポケット４に転動可能に保持しかつポケット３位置にて軸方向に二分割された分割保持部材５，６の組合せからなる筒状の合成樹脂製保持器７とを備えている。なお、保持器７は合成樹脂に限定されるものではない。また、２７，２８はシール部材である。
【００１２】
図２に示すように、上記保持器７を形成する各分割保持部材５，６のポケット半部４ａ，４ｂ内面にかつ玉３の自転軸Ｘ−Ｘの円周方向両側にはそれぞれ突部８，９，１０，１１を設け、この突部８，９，１０，１１にて玉３を支持させることによりポケット４の軸方向中央部１２，１３と玉３とを非接触とされている。これにより、軸受の回転時、玉３は回転方向に移動して実線状態から二点鎖線状態に移動しても玉３は突部９，１１にて保持されることになり、玉３は移動後の自転軸Ｘ１−Ｘ１線から円周方向に最大距離Ｌだけ離れたポケット４の軸方向中央部１２，１３位置に玉３が接触せず、すなわち、玉３の自転時の最大周速位置３ａにて非接触状態が保たれる。換言すれば、玉３はその自転軸線上で最小周速となるが、この最小周速位置近くに突部９，１１で玉３を支持することになる。なお、実施例では玉３は突部９，１１で支持された状態を示したが、軸受が逆方向に回転すれば、玉３は突部８，１０にて支持され、同様の作用が得られる。
【００１３】
また、上記保持器７のポケット４は実施例では次の形状よりなる。すなわち、各分割保持部材５，６のポケット半部４ａ，４ｂの内面の曲率中心Ｏ１，Ｏ２は玉３の中心Ｏから、この中心Ｏを通る自転軸Ｘ−Ｘ線上で、玉３の半径ｒより大きくなる半径ｒ１，ｒ２を有する点に位置し、ポケット半部４ａ，４ｂの内面を楕円状の円弧上に形成している。この形状を有するポケット半部４ａ，４ｂを形成した分割保持部材５，６を組み合せることにより、保持器７のポケット４は、軸方向中央部１２，１３に逃げ部１４，１５が形成され、玉３と非接触が保たれる。また、この逃げ部１４，１５が潤滑溜りとされ、玉３の潤滑に潤滑剤が供される。
【００１４】
さらに各分割保持部材５，６は、次の態様にて組み合わされ、保持器７が構成される。図２においては、上記保持器７を形成する各分割保持部材５，６が、ポケット４間に形成された軸方向貫通穴１６，１７に挿通されたリベット１８の固定にて一体とされている。
【００１５】
さらに図３においては、上記保持器７を形成する各分割保持部材５，６の一方の分割保持部材５のポケット４間に軸方向貫通穴１９が形成され、他方の分割保持部材６のポケット４間に突起２０が形成され、この突起２０を軸方向貫通穴１９を圧入することにより各分割保持部材５，６が一体とされている。この組み立て構造は、単に圧入固定するだけであるため、組み立てが簡単に行える。
【００１６】
さらに図４、図５及び図６においては、上記保持器７を形成する各分割保持部材５，６が、一方の分割保持部材５のポケット４間内面の段部２１に形成された鋸歯部２２と、他方の分割保持部材６のポケット４間外面の段部２３に形成された鋸歯部２４との噛み合わせにて一体とされている。この鋸歯部形状の組み合わせは軸方向の締結力が簡単に大きく得られる。さらに、これら鋸歯部２２，２４は図６に示すように円周方向に直線的に形成されて合わせ面２５，２６が平面にて組み合わされている。これにより各分割保持部材５，６の円周方向への回り止めとされている。
【００１７】
さらに図７においては、上記保持器７を形成する各分割保持部材５，６が、合わせ面を超音波等にて溶融２７され、一体とされている。
【００１８】
なお、本発明の保持器が合成樹脂にて形成される場合、各分割保持部材５，６の軸方向幅ｌより小さい軸方向幅ｌ１を有する突部８，９，１０，１１にて玉３を２点支持するため、荷重Ｐが発生した時、各突部位置ではモーメント荷重Ｐ／２・ｌ１が生じるが、このモーメント荷重は従来構造のモーメント荷重より小さいため、各分割保持部材５，６の破損が防止できる。
【００１９】
【発明の効果】
軸受の回転時、玉が保持器のポケットと玉の自転の最大周速位置で接触しないようにすることにより、玉の油膜切れや発熱、ポケット内面の摩耗が防止できる。
【図面の簡単な説明】
【図１】この発明にかかる一実施例の縦断面図である。
【図２】図１のＩＩ−ＩＩ線の展開断面図である。
【図３】別の保持器実施例の展開断面図である。
【図４】さらに別の保持器実施例の展開断面図である。
【図５】図４のＡ−Ａ断面図である。
【図６】図４のＢ−Ｂ断面図である。
【図７】さらに別の保持器実施例の展開断面図である。
【図８】従来の玉軸受用冠形保持器の縦断面図である。
【図９】従来の筒形保持器の縦断面図である。
【符号の説明】
１    内輪
２    外輪
３    玉
４    ポケット
４ａ，４ｂ    ポケット半部
５，６    分割保持部材
７    保持器
８，９，１０，１１    突部
１２，１３    軸方向中央部
１４，１５    逃げ部
【図１】
0003595063.tif 000002
【図２】
0003595063.tif 000003
【図３】
0003595063.tif 000004
【図４】
0003595063.tif 000005
【図５】
0003595063.tif 000006
【図６】
0003595063.tif 000007
【図７】
0003595063.tif 000008
【図８】
0003595063.tif 000009
【図９】
0003595063.tif 000010